(57)【要約】【課題】１９インチ・ラックに通信機器を実装する際に、筐体の実装スペースを効率的かつ有効に使うことを可能にした１９インチ・ラックの機器実装方法を提供する。【解決手段】縦置きに配置した変復調装置１ａ、１ｂ及びインタフェース盤２からなる部分と、送受信機３ａ、３ｂ及びその上に配置された分岐装置４とからなり、これで現用・予備回線構成を１システム実装した場合を示す。これらの構成品はサブラック１１に実装され、サブラック１１は１９インチ・ラック１０に取り付く構造になっている。１９インチ・ラックへの通信機器のシステム実装時に、現用・予備回線のシステム構成数によって変復調装置１ａ、１ｂ及びインタフェース盤２を縦実装又は横実装できるようにしている。【選択図】図１
2005117076.tif 000002
【特許請求の範囲】
【請求項１】
１９インチ・ラックに通信機器を実装する方法において、
１９インチ・ラックに通信機器のシステム実装時に、現用・予備回線のシステム構成数によって変復調装置とインタフェース盤とを縦実装又は横実装できるように構成し、
現用・予備回線構成の通信機器を１システム実装時は、送受信機及び分岐装置をサブラックに実装すると共に、変復調装置及びインタフェース盤をサブラック内に縦置きに配置し、
このサブラックを１９インチ・ラックに取り付けることを特徴とする１９インチ・ラックの機器実装方法。
【請求項２】
１９インチ・ラックに通信機器を実装する方法において、
１９インチ・ラックに通信機器のシステム実装時に、現用・予備回線のシステム構成数によって変復調装置とインタフェース盤とを縦実装又は横実装できるように構成し、
現用・予備回線構成の通信機器を２システム実装時は、送受信機及び分岐装置をサブラックに実装して、このサブラックを１９インチ・ラックに取り付けると共に、変復調装置及びインタフェース盤を１９インチ・ラックに横置きに配置することを特徴とする１９インチ・ラックの機器実装方法。
【請求項３】
前記変復調装置及びインタフェース盤をサブラック内に縦置きに配置した高さが、１１ユニットであることを特徴とする請求項１又は２記載の１９インチ・ラックの機器実装方法。
【請求項４】
前記サブラック内で縦置きとした送受信機とその上又は下に配置した分岐装置の高さの合計が、９ユニットであることを特徴とする請求項１又は２記載の１９インチ・ラックの機器実装方法。
【請求項５】
２つの前記変復調装置と１つのインタフェース盤とを横置きに配置した高さの合計が、４ユニットであることを特徴とする請求項１又は２記載の１９インチ・ラックの機器実装方法。
【請求項６】
変復調装置及びインタフェース盤のサイズを、１９インチ・ラックに横並びに２台実装できるサイズとしたことを特徴とする請求項１又は２記載の１９インチ・ラックの機器実装方法。
【発明の詳細な説明】
【技術分野】
【０００１】
本発明は、無線通信システムにおける筐体の実装スペースを有効に使った１９インチ・ラックの機器実装方法に関する。
【背景技術】
【０００２】
従来、通信機器等をシステムアップする場合、送受信機等の筐体を１９インチ・ラックに実装している。１９インチ・ラックは、ラックの左右の支柱に機器取付のための穴を設けてあり、左右の穴の幅が４６５ｍｍ、穴の高さ方向の間隔が１ユニット（１Ｕ＝４４．４５ｍｍ）である。この１９インチ・ラックに通信機器を実装する場合、現用・予備回線構成の通信機器を１システム実装時でも、２システム実装時でも同様の実装方法としていた。
【０００３】
また、無線装置のユニット構成において、上部に配置する機能ユニットと、下部に配置する機能ユニットの配置を工夫したものがある（例えば、特許文献１参照）。
【特許文献１】特開平８−１１６２９４号公報
【発明の開示】
【発明が解決しようとする課題】
【０００４】
しかしながら、従来のように変復調装置及びインタフェース盤を縦置き又は横置きで統一した配置にすると、例えば現用・予備回線構成の通信機器を２システム実装時では効率の良い配置でも、図７のように最小構成の現用回線構成にすると、無駄なスペース２０ができて、筐体の実装スペースを有効に使うことができない。
【０００５】
そこで本発明は、１９インチ・ラックに通信機器を実装する際に、筐体の実装スペースを効率的かつ有効に使うことを可能にした１９インチ・ラックの機器実装方法を提供することを目的とする。
【課題を解決するための手段】
【０００６】
上述の課題を解決するため、本発明は、１９インチ・ラックに通信機器を実装する方法において、１９インチ・ラックに通信機器のシステム実装時に、現用・予備回線のシステム構成数によって変復調装置とインタフェース盤とを縦実装又は横実装できるように構成し、現用・予備回線構成の通信機器を１システム実装時は、送受信機及び分岐装置をサブラックに実装すると共に、変復調装置及びインタフェース盤をサブラック内に縦置きに配置し、このサブラックを１９インチ・ラックに取り付け、現用・予備回線構成の通信機器を２システム実装時は、送受信機及び分岐装置をサブラックに実装して、このサブラックを１９インチ・ラックに取り付けると共に、変復調装置及びインタフェース盤を１９インチ・ラックに横置きに配置することを特徴とする。
【０００７】
以上の構成によって、現用・予備回線のシステム構成数によって、筐体の実装スペースを効率的かつ有効に使うことができる。
【発明の効果】
【０００８】
本発明よれば、現用・予備回線構成の通信機器を１システム実装時には、変復調装置及びインタフェース盤を縦置きに配置し、現用・予備回線構成の通信機器を２システム実装時には、変復調装置及びインタフェース盤を横置きに配置することにより、筐体の実装スペースを効率的かつ有効に使うことを可能にした。
【発明を実施するための最良の形態】
【０００９】
次に、本発明の最良の形態について図面を参照して説明する。
【実施例】
【００１０】
図１は、本発明による現用・予備回線構成の通信機器を１システム実装時の構成を示す。縦置きに配置した変復調装置１ａ、１ｂ及びインタフェース盤２からなる部分と、送受信機３ａ、３ｂ及びその上に配置された分岐装置４とからなり、これで現用・予備回線構成を１システム実装した場合を示す。なお、分岐装置４は送受信機３ａ、３ｂの下に配置しても良い。これらの構成品はサブラック１１に実装され、サブラック１１は１９インチ・ラック１０に取り付く構造になっている。このサブラック１１は実装する機器に合わせて、縦方向の寸法を調節できるようになっている。
【００１１】
図２は、本発明による現用・予備回線構成の通信機器を２システム実装時の構成を示す。横置きに配置した１対の変復調装置１ａ、１ｂ及びインタフェース盤２からなる部分を２組と、１対の送受信機３ａ、３ｂ及びそれらと組み合わされる分岐装置４を２組合わせたものによる、現用・予備回線構成を２システム実装した場合を示す。１対の変復調装置１ａ、１ｂとインタフェース盤２からなる部分２組は、１９インチ・ラックに横置きに実装される。１対の送受信機３ａ、３ｂ及びそれらと組み合わされる分岐装置４の２組は、サブラック１１に実装され、サブラック１１は１９インチ・ラック１０に取り付く構造になっている。
【００１２】
本発明では１９インチ・ラックへの通信機器のシステム実装時に、現用・予備回線のシステム構成数によって変復調装置１ａ、１ｂ及びインタフェース盤２を縦実装又は横実装できるようにしている。
【００１３】
次に各システム構成における高さを示す。ここで高さの単位をユニット（Ｕ）（１Ｕ＝４４．４５ｍｍ）で表す。
【００１４】
図３に示すように現用・予備回線構成を１システム実装時の高さは１１Ｕである。そのため現用・予備回線構成を１システム実装したものを積み上げて現用・予備回線構成を２システム実装にした場合の高さは、図４に示すように最低でも２２Ｕ以上となる。
【００１５】
本発明では、現用・予備回線構成を１システム実装時の変復調装置１ａ、１ｂ及びインタフェース盤２を縦置きに、現用・予備回線構成を２システム実装時の変復調装置１ａ、１ｂ及びインタフェース盤２を横置きに配置することで、現用・予備回線構成１システム実装時の高さが１１Ｕ、現用・予備回線構成を２システム実装時の高さが図５に示すように１９Ｕとなる。すなわち、サブラック内で縦置きとした送受信機とその上又は下に配置した分岐装置の高さの合計が９ユニットであり、２つの変復調装置と１つのインタフェース盤とを横置きに配置した高さの合計が４ユニットであるので、２システム実装時には、各装置間の隙間を含めても１９Ｕとなる。このようにシステム構成に合わせた効率の良い実装を実現している。
【００１６】
次に本発明の他の実施例を説明する。図６は、変復調装置及びインタフェース盤を横置きにしたときのサイズを半分にした構成を示す。１９インチ・ラックに横並びに２台実装できるように小型化したので、２システム実装時に、変復調装置とインタフェース盤とを横置きに配置した部分の高さを半減することができ、より効率的な実装が可能となる。
【図面の簡単な説明】
【００１７】
【図１】本発明による１システム実装時の配置を示す図である。
【図２】本発明による２システム実装時の配置を示す図である。
【図３】１システム実装時の高さを示す図である。
【図４】１システム実装したものを２段重ねた時の高さを示す図である。
【図５】本発明による２システム実装時の高さを示す図である。
【図６】機器のサイズを横並びに２台実装可能とした場合の図である。
【図７】従来の機器実装時の配置を示す図である。
【符号の説明】
【００１８】
１ａ，１ｂ  変復調装置
２  インタフェース盤
３ａ，３ｂ  送受信機
４  分岐装置
１０  １９インチ・ラック
１１  サブラック
２０  無駄なスペース
【図１】
2005117076.tif 000003
【図２】
2005117076.tif 000004
【図３】
2005117076.tif 000005
【図４】
2005117076.tif 000006
【図５】
2005117076.tif 000007
【図６】
2005117076.tif 000008
【図７】
2005117076.tif 000009